【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
第１絶縁基板、前記第１絶縁基板上に形成されて開口部を有する反射板、前記反射板上に形成された複数のカラーフィルタ、前記第１絶縁基板の周囲に形成されて表示領域を定義し、少なくとも一つの前記カラーフィルタを利用して形成される遮光パターン、および前記カラーフィルタ上に形成されている共通電極を有する第１表示板と、
第２絶縁基板、および前記第２絶縁基板上に形成される複数の画素電極を有する第２表示板と、
前記第１表示板と前記第２表示板の間に充填されている液晶層と、
前記第１表示板と前記第２表示板の間に形成されている封止材とを備え、
前記封止材は、前記表示領域の周縁に形成され、前記反射板と重畳し、前記封止材の少なくとも一部は、前記遮光パターンのカラーフィルタ全体にわたって形成されている液晶表示装置。
【請求項２】
前記遮光パターンの少なくとも一部分は、前記封止材より内側に形成されている請求項１に記載の液晶表示装置。
【請求項３】
前記カラーフィルタは、赤及び青のカラーフィルタを含み、前記遮光パターンは、前記赤及び青のカラーフィルタの一つのカラーフィルタからなる請求項１に記載の液晶表示装置。
【請求項４】
前記遮光パターンは、緑のカラーフィルタをさらに含む請求項３に記載の液晶表示装置。
【請求項５】
前記遮光パターンの一部分が前記反射板と重畳している請求項１に記載の液晶表示装置。
【請求項６】
前記開口部が前記表示領域の一部に形成されている請求項１に記載の液晶表示装置。
【請求項７】
前記反射板の表面は波状である請求項１に記載の液晶表示装置。
【請求項８】
前記第１表示板は、前記第１絶縁基板と前記反射板との間に形成され、変動する厚みを有する絶縁膜をさらに有する請求項７に記載の液晶表示装置。
【請求項９】
前記カラーフィルタと重畳する層間絶縁膜をさらに有する請求項３に記載の液晶表示装置。
【請求項１０】
絶縁基板と、
前記絶縁基板上に形成されて開口部を有し、前記絶縁基板端部に配列される端部を有する反射板と、
前記反射板上に形成されている複数のカラーフィルタと、
前記絶縁基板の周縁に形成されて表示領域を定義し、少なくとも一つの前記カラーフィルタを利用して形成される遮光パターンと、
前記カラーフィルタ上に形成されている共通電極と、を有するカラーフィルタ表示板。
【請求項１１】
前記カラーフィルタは、赤及び青のカラーフィルタを含み、前記遮光パターンは、前記赤及び青のカラーフィルタの一つのカラーフィルタからなる請求項１０に記載のカラーフィルタ表示板。
【請求項１２】
前記遮光パターンは、緑のカラーフィルタをさらに含む請求項１１に記載のカラーフィルタ表示板。
【請求項１３】
前記遮光パターンの一部分が前記反射板と重畳している請求項１０に記載のカラーフィルタ表示板。
【請求項１４】
前記反射板の表面は波状である請求項１０に記載のカラーフィルタ表示板。
【請求項１５】
前記基板と前記反射板との間に形成され、変動する厚みを有する絶縁膜をさらに有する請求項１４に記載のカラーフィルタ表示板。
【請求項１６】
前記カラーフィルタと重畳する層間絶縁膜をさらに有する請求項１０に記載のカラーフィルタ表示板。
【請求項１７】
第１絶縁基板、前記第１絶縁基板上に形成されて開口部を有する反射板、前記反射板上に形成された複数のカラーフィルタ、前記第１絶縁基板の周囲に形成されて表示領域を定義し、少なくとも一つの前記カラーフィルタを利用して形成される遮光パターン、および前記カラーフィルタ上に形成されている共通電極を有する第１表示板と、
第２絶縁基板、および前記第２絶縁基板上に形成され前記表示領域に形成される透明電極を有する第２表示板と、
前記第１表示板と前記第２表示板の間に充填されている液晶層と、
前記第１表示板と前記第２表示板の間に形成され、前記表示領域の周縁に形成される封止材とを備え、
前記封止材は、前記反射板により重畳される空間によって前記遮光パターンに離間して配置されている液晶表示装置。
【請求項１８】
前記遮光パターンは、前記封止材より内側に形成されている請求項１７に記載の液晶表示装置。
【請求項１９】
前記カラーフィルタは、赤及び青のカラーフィルタを含み、前記遮光パターンは、前記赤及び青のカラーフィルタの一つからなる請求項１８に記載の液晶表示装置。
【請求項２０】
前記カラーフィルタは、緑のカラーフィルタをさらに含む請求項１９に記載の液晶表示装置。
【請求項２１】
前記遮光パターンは、前記反射板と重畳している請求項１７に記載の液晶表示装置。
【請求項２２】
前記開口部が前記表示領域の一部に形成されている請求項１７に記載の液晶表示装置。
【請求項２３】
前記反射板の表面は波状である請求項１７に記載の液晶表示装置。
【請求項２４】
前記第１表示板は、前記第１絶縁基板と前記反射板との間に形成され、変動する厚みを有する絶縁膜をさらに有する請求項２３に記載の液晶表示装置。
【請求項２５】
前記第１表示板は、前記カラーフィルタと重畳する層間絶縁膜をさらに有する請求項１７に記載の液晶表示装置。
【請求項２６】
前記第２表示板は、前記透明電極に接続される複数の薄膜トランジスタと、前記薄膜トランジスタに接続されている複数のゲート線と、前記薄膜トランジスタに接続され前記ゲート線と交差する複数のデータ線とをさらに有する請求項１７に記載の液晶表示装置。
【請求項２７】
前記第２表示板は、前記画素電極に接続される複数の薄膜トランジスタと、前記薄膜トランジスタに接続されている複数のゲート線と、前記薄膜トランジスタに接続され前記ゲート線と交差する複数のデータ線とをさらに有する請求項１に記載の液晶表示装置。
【手続補正２】
【補正対象書類名】明細書
【補正対象項目名】０００８
【補正方法】変更
【補正の内容】
【０００８】
前記目的を達成するための本発明による液晶表示装置は、第１絶縁基板、前記第１絶縁基板上に形成されて開口部を有する反射板、前記反射板上に形成された複数のカラーフィルタ、前記第１絶縁基板の周囲に形成されて表示領域を定義し、少なくとも一つの前記カラーフィルタを利用して形成される遮光パターン、および前記カラーフィルタ上に形成されている共通電極を有する第１表示板と、第２絶縁基板、および前記第２絶縁基板上に形成される複数の画素電極を有する第２表示板と、前記第１表示板と前記第２表示板の間に充填されている液晶層と、前記第１表示板と前記第２表示板の間に形成されている封止材とを備える。前記封止材は、前記表示領域の周縁に形成され、前記反射板と重畳し、前記封止材の少なくとも一部は、前記遮光パターンのカラーフィルタ全体にわたって形成されている。または、前記封止材は、前記反射板により重畳される空間によって前記遮光パターンに離間して配置されている。
【手続補正３】
【補正対象書類名】明細書
【補正対象項目名】０００９
【補正方法】変更
【補正の内容】
【０００９】
ここで、遮光パターンの少なくとも一部分は、封止材より内側に形成されることが好ましい。
【手続補正４】
【補正対象書類名】明細書
【補正対象項目名】００１０
【補正方法】変更
【補正の内容】
【００１０】
ここで、前記第２表示板は、前記画素電極に接続される複数の薄膜トランジスタと、前記薄膜トランジスタに接続されている複数のゲート線と、前記薄膜トランジスタに接続され前記ゲート線と交差する複数のデータ線とをさらに有することが好ましい。
【手続補正５】
【補正対象書類名】明細書
【補正対象項目名】００１１
【補正方法】変更
【補正の内容】
【００１１】
なお、カラーフィルタは、赤、及び青のカラーフィルタを含み、遮光パターンは、赤、及び青のカラーフィルタの一つからなることが好ましい。
【手続補正６】
【補正対象書類名】明細書
【補正対象項目名】００１２
【補正方法】変更
【補正の内容】
【００１２】
さらに、遮光パターンは緑のカラーフィルタを含むことが好ましい。
【手続補正７】
【補正対象書類名】明細書
【補正対象項目名】００１３
【補正方法】変更
【補正の内容】
【００１３】
また、遮光パターンの一部分が反射板と重畳することが好ましい。
【手続補正８】
【補正対象書類名】明細書
【補正対象項目名】００１４
【補正方法】変更
【補正の内容】
【００１４】
また、開口部が前記表示領域の一部に形成されていることが好ましい。
【手続補正９】
【補正対象書類名】明細書
【補正対象項目名】００１５
【補正方法】変更
【補正の内容】
【００１５】
また、反射板の表面は波状であることが好ましい。
【手続補正１０】
【補正対象書類名】明細書
【補正対象項目名】００１６
【補正方法】変更
【補正の内容】
【００１６】
また、第１表示板は、第１絶縁基板と前記反射板との間に形成され、変動する厚みを有する絶縁膜をさらに有することができる。
【手続補正１１】
【補正対象書類名】明細書
【補正対象項目名】００１８
【補正方法】変更
【補正の内容】
【００１８】
前記他の目的を達成するための本発明によるカラーフィルタ表示板は、表示領域を有する絶縁基板、第１絶縁基板上に形成されて開口部を有し、前記絶縁基板端部に配列される端部を有する反射板、反射板上に形成されているカラーフィルタ、表示領域を定義し、第１絶縁基板の周囲に形成され、カラーフィルタを利用して形成される遮光パターン、カラーフィルタ上に形成されている共通電極を有する。
【手続補正１２】
【補正対象書類名】明細書
【補正対象項目名】００１９
【補正方法】変更
【補正の内容】
【００１９】
ここで、カラーフィルタは、赤、及び青のカラーフィルタを含み、遮光パターンは、赤、及び青のカラーフィルタの一つのカラーフィルタからなることが好ましい。
【手続補正１３】
【補正対象書類名】明細書
【補正対象項目名】００２０
【補正方法】変更
【補正の内容】
【００２０】
さらに、遮光パターンは、緑のカラーフィルタを含むことが好ましい。
【手続補正１４】
【補正対象書類名】明細書
【補正対象項目名】００２２
【補正方法】変更
【補正の内容】
【００２２】
また、反射板の表面は波状であることが好ましい。
【手続補正１５】
【補正対象書類名】明細書
【補正対象項目名】００２３
【補正方法】変更
【補正の内容】
【００２３】
また、基板と反射板との間に形成されて変動する厚みを有する絶縁膜をさらに有することができる。